(57)【要約】【課題】  組立時におけるパネルホルダに対する表示パネルの確実な固定の信頼性と、組立後における分解の容易性の両立を図る。【解決手段】  表示パネル１２０をパネルホルダ２００のパネル支持面２０２に固定するにあたって、パネル支持面２０２に側枠２２１〜２２４にて囲まれたパネル収納部２２０を設け、フレキシブル基板１３０にパネル収納部２２０の外周側に摩擦的に嵌合し、内部に表示パネル１２０が配置される窓（嵌合孔）１３１と、その窓から突出して端子部１２１と接続される接続片１３２とを形成し、端子部１２１側に位置する側枠２１３に接続片１３２を引き出す開口部２２３ａを形成するとともに、その反対側の側枠２２１に表示パネル１２０の反端子部側を離脱可能に係止する係止爪２２５を形成し、表示パネル１２０を係止爪２２５と窓１３１をパネル収納部２２０の外周側に嵌合する際に発生する接続片１３２の押さえ力とによりパネル収納部２２０内に固定する。【選択図】  図４
2006071670.tif 000002
【特許請求の範囲】
【請求項１】
所定の一辺に端子部を有する表示パネルと、上記端子部に接続されるフレキシブル基板と、上記表示パネルを支持するパネル支持面を有するパネルホルダとを含み、上記表示パネルを上記端子部に上記フレキシブル基板が接続されている状態で上記パネル支持面に固定してなる表示装置において、
上記パネル支持面には、上記表示パネルの外形に沿って立設された側枠を有するパネル収納部が設けられており、上記フレキシブル基板には、上記側枠の外周側に嵌合され内部に上記表示パネルが配置される嵌合孔と、上記嵌合孔の一辺から突出して上記表示パネルの端子部に接続される接続片とが設けられており、
上記表示パネルの端子部側に位置する上記側枠の一辺には、上記パネル収納部から上記接続片を引き出すための開口部が形成されているとともに、上記側枠の一辺と対向する上記側枠の他辺側には、上記表示パネルの反端子部側を離脱可能に係止する係止爪が形成されており、
上記側枠と上記嵌合孔との間には、上記フレキシブル基板を挿脱可能に固定するための摩擦係合手段が設けられており、
上記表示パネルが、上記係止爪と、上記嵌合孔を上記側枠の外周側に摩擦的に嵌合して上記フレキシブル基板を固定する際に生ずる上記接続片の押さえ力とにより、上記パネル収納部内に固定されることを特徴とする表示装置。
【請求項２】
少なくとも上記開口部を有する上記側枠の一辺側に上記摩擦係合手段が設けられていることを特徴とする請求項１に記載の表示装置。
【請求項３】
上記摩擦係合手段が、上記嵌合孔の内周面に摩擦的に接触するように上記側枠の外周側に一体に形成されたリブからなることを特徴とする請求項１または２に記載の表示装置。
【請求項４】
上記摩擦係合手段が、上記側枠の外周側に摩擦的に接触するように上記嵌合孔の内周面に一体に形成された舌片からなることを特徴とする請求項１または２に記載の表示装置。
【請求項５】
所定の一辺に端子部を有する表示パネルと、上記端子部に接続されるフレキシブル基板と、一方の面側に上記表示パネルを収納するパネル収納凹部を有するパネルホルダとを含み、上記表示パネルを上記端子部に上記フレキシブル基板が接続されている状態で上記パネル収納凹部内に収納し、上記フレキシブル基板をほぼ１８０゜折り曲げて上記パネルホルダの他方の面側に固定してなる表示装置において、
上記パネル収納凹部には上記表示パネルの反端子部側を離脱可能に係止する係止爪が形成されており、上記パネルホルダの他方の面側には凸部が立設されているとともに、上記フレキシブル基板側には上記凸部に対し所定の摩擦力をもって嵌合する嵌合孔が穿設されていることを特徴とする表示装置。
【発明の詳細な説明】
【技術分野】
【０００１】
本発明は、フレキシブル基板が接続された表示パネルをパネルホルダに固定してなる表示装置に関し、さらに詳しく言えば、フレキシブル基板を利用して表示パネルをパネルホルダに固定する技術に関するものである。
【背景技術】
【０００２】
現在のところ表示パネルの多くは液晶パネルであるが、最近では有機ＥＬパネルなども実用化されている。いずれにしても、これらの表示パネルを例えば携帯電話機などの表示装置として用いるには駆動部品が接続され、最終的にパネルホルダ内に収納される。その一例を図６により説明する。なお、この例において表示パネルはバックライトを必要とする透過型もしくは半透過型の液晶パネルとしている。
【０００３】
液晶パネル１０に含まれている２枚の透明電極基板１１，１２のうち、その各々に端子部が設けられる場合もあるが、携帯電話機用途などの小型な機種では、多くの場合、この例のように一方の例えば透明電極基板１１側にのみ端子部１１ａが設けられる。他方の透明電極基板１２側の表示電極は、透明電極基板１１，１２を貼り合わせる周辺シール材に含まれるトランスファ材（ともに図示しない）を介して端子部１１ａに引き出される。
【０００４】
端子部１１ａには、液晶パネル１０に液晶駆動信号を与えるためのＴＣＰ（Ｔａｐｅ  Ｃａｒｒｉｅｒ  Ｐａｃｋａｇｅ）やＣＯＦ（Ｃｈｉｐ  Ｏｎ  Ｆｉｌｍ）などのフレキシブル基板２０が図示しない異方性導電フィルムなどを介して電気的・機械的に接続される。ＣＯＧ（Ｃｈｉｐ  Ｏｎ  Ｇｌａｓｓ）機種においては、図示のように端子部１１ａに液晶駆動用の電子部品（ベアチップＩＣ）１３が実装される。
【０００５】
液晶パネル１０の裏面側にはバックライトユニットに含まれる導光板３０が配置され、液晶パネル１０は導光板３０とともにパネルホルダ４０内に収納される。バックライトユニットはサイドライト型であって、導光板３０の側方に光源として例えばチップ型ＬＥＤが配置されるがここでは図示しない。
【０００６】
パネルホルダ４０には金属製のものと合成樹脂製のものとがあるが、この例では合成樹脂製であり、その一方の面（上面）には、液晶パネル１０と導光板３０とを収納し得る深さのパネル収納凹部４１が形成されている。また、パネルホルダ４０の一辺には、端子部１１ａに接続されているフレキシブル基板２０を引き出すための開口部４２が形成されている。
【０００７】
ところで、液晶パネル１０をパネル収納凹部４１内に収納するにあたって、液晶パネル１０を固定する必要があるが、その固定手段として、従来では両面粘着テープを用いている（例えば特許文献１参照）。
【０００８】
また、上記開口部４２から引き出されたフレキシブル基板２０については、パネルホルダ４０の他方の面（下面）側に向けてほぼ１８０゜折り曲げたのち、やはり両面粘着テープを用いてパネルホルダ４０に固定するようにしている（例えば特許文献２参照）。
【０００９】
【特許文献１】特開２００２−２４４１１３号公報（図２）
【特許文献２】特開２００３−４３４４８号公報（〔０００４〕段落）
【発明の開示】
【発明が解決しようとする課題】
【００１０】
両面粘着テープによれば確実な固定状態が得られるが、その反面、簡単には剥がせないため次のような問題がある。すなわち、組立後の検査で液晶パネルの表示不良やバックライトユニットの点灯不良、そのほか異物混入などが発見された場合、両面粘着テープを剥がして分解しようとすると、液晶パネルや導光板などに過大な力が加えられ、かえって損傷が大きくなる。このような理由により、従来では組立後の検査で不良となったものについてはリワーク不能として廃棄せざるを得ず、これが歩留まりを悪いものとしている。
【００１１】
したがって、本発明の課題は、組立時におけるパネルホルダに対する表示パネルの確実な固定の信頼性と、組立後における分解の容易性の両立を図ることにある。なお、本発明において、表示パネルには液晶パネルのほかに有機ＥＬパネルなども含まれる。
【課題を解決するための手段】
【００１２】
上記課題を解決するため、請求項１に記載の発明は、所定の一辺に端子部を有する表示パネルと、上記端子部に接続されるフレキシブル基板と、上記表示パネルを支持するパネル支持面を有するパネルホルダとを含み、上記表示パネルを上記端子部に上記フレキシブル基板が接続されている状態で上記パネル支持面に固定してなる表示装置において、上記パネル支持面には、上記表示パネルの外形に沿って立設された側枠を有するパネル収納部が設けられており、上記フレキシブル基板には、上記側枠の外周側に嵌合され内部に上記表示パネルが配置される嵌合孔と、上記嵌合孔の一辺から突出して上記表示パネルの端子部に接続される接続片とが設けられており、上記表示パネルの端子部側に位置する上記側枠の一辺には、上記パネル収納部から上記接続片を引き出すための開口部が形成されているとともに、上記側枠の一辺と対向する上記側枠の他辺側には、上記表示パネルの反端子部側を離脱可能に係止する係止爪が形成されており、上記側枠と上記嵌合孔との間には、上記フレキシブル基板を挿脱可能に固定するための摩擦係合手段が設けられており、上記表示パネルが、上記係止爪と、上記嵌合孔を上記側枠の外周側に摩擦的に嵌合して上記フレキシブル基板を固定する際に生ずる上記接続片の押さえ力とにより、上記パネル収納部内に固定されることを特徴としている。
【００１３】
請求項２に記載の発明は、上記請求項１において、少なくとも上記開口部を有する上記側枠の一辺側に上記摩擦係合手段が設けられていることを特徴としている。
【００１４】
請求項３に記載の発明は、上記請求項１または２において、上記摩擦係合手段が、上記嵌合孔の内周面に摩擦的に接触するように上記側枠の外周側に一体に形成されたリブからなることを特徴としており、また、請求項４に記載の発明は、上記請求項１または２において、上記摩擦係合手段が、上記側枠の外周側に摩擦的に接触するように上記嵌合孔の内周面に一体に形成された舌片からなることを特徴としている。
【００１５】
また、本発明の別の態様として、請求項５に記載の発明は、所定の一辺に端子部を有する表示パネルと、上記端子部に接続されるフレキシブル基板と、一方の面側に上記表示パネルを収納するパネル収納凹部を有するパネルホルダとを含み、上記表示パネルを上記端子部に上記フレキシブル基板が接続されている状態で上記パネル収納凹部内に収納し、上記フレキシブル基板をほぼ１８０゜折り曲げて上記パネルホルダの他方の面側に固定してなる表示装置において、上記パネル収納凹部には上記表示パネルの反端子部側を離脱可能に係止する係止爪が形成されており、上記パネルホルダの他方の面側には凸部が立設されているとともに、上記フレキシブル基板側には上記凸部に対し所定の摩擦力をもって嵌合する嵌合孔が穿設されていることを特徴としている。
【発明の効果】
【００１６】
上記請求項１に記載の発明によれば、上記表示パネルの反端子部側が上記係止爪によって離脱可能に係止され、上記表示パネルの端子部側は上記嵌合孔を上記側枠の外周側に摩擦的に嵌合して上記フレキシブル基板を固定する際に生ずる上記接続片の押さえ力にて保持されるため、両面粘着テープによることなく、上記表示パネルを上記パネル収納部内に確実に固定できる。また、分解も容易にできる。
【００１７】
上記請求項２に記載の発明によれば、少なくとも上記開口部を有する上記側枠の一辺側に上記摩擦係合手段が設けられていることにより、上記接続片の押さえ力を確実なものとすることができる。
【００１８】
上記請求項３に記載の発明によれば、上記摩擦係合手段を上記嵌合孔の内周面に摩擦的に接触するように上記側枠の外周側に一体に形成されたリブとし、また、上記請求項４に記載の発明によれば、上記摩擦係合手段を上記側枠の外周側に摩擦的に接触するように上記嵌合孔の内周面に一体に形成された舌片とすることにより、両面粘着テープなどの別部品を用いる必要がないため、より一層のコストダウンを図ることができる。
【００１９】
また、上記請求項５に記載の発明によっても、上記請求項１と同じく、両面粘着テープによることなく、上記表示パネルを上記パネル収納凹部内に確実に固定できるばかりでなく容易に分解することもできるが、上記凸部を上記請求項１の側枠とすることにより、メインパネルとサブパネルの２つの表示パネルを有する例えば携帯電話機用の表示装置においても、その２つの表示パネルを両面粘着テープによることなく確実に固定でき、また、容易に分解することもできる。
【発明を実施するための最良の形態】
【００２０】
次に、図１ないし図５により、本発明に含まれるいくつかの実施形態について説明するが、本発明はこれに限定されるものではない。すなわち、以下に説明する実施形態から当業者であるならば容易に導き出される技術は実質的同一もしくは均等として本発明に含まれる。
【００２１】
まず、図１（ａ）の平面図およびその中央縦断面図である図１（ｂ）により、この例での表示パネルについて説明する。この表示パネル１００は携帯電話機用で、メインパネル１１０とサブパネル１２０とを備えている。各パネルはともに液晶パネルであるが、例えば有機ＥＬパネルが用いられてもよい。
【００２２】
メインパネル１１０は一つの辺に端子部１１１を有し、端子部１１１にはフレキシブル基板１３０が接続されている。また、端子部１１１には液晶駆動用の電子部品（ベアチップＩＣ）１１２が実装されている。メインパネル１１０の両面には偏光膜１１３が貼着されている。
【００２３】
サブパネル１２０は、フレキシブル基板１３０に形成されている窓１３１内に配置されている。窓１３１はサブパネル１２０よりも一回り大きな矩形状の孔で、その一辺には窓１３１内に向けて延びる接続片１３２が設けられている。フレキシブル基板１３０はポリイミドフィルムをベースとする一般的に用いられているフレキシブル基板であってよい。
【００２４】
サブパネル１２０は一つの辺に端子部１２１を備えており、端子部１２１に上記接続片１３２が接続されている。この端子部１２１にも液晶駆動用の電子部品１２２が実装されており、また、サブパネル１２０の両面にも偏光膜１２３が貼着されている。
【００２５】
メインパネル１１０とサブパネル１２０は、図２（ａ）の平面図，図２（ｂ）の背面図および図２（ｃ）の中央縦断面図に示すように、パネルホルダ２００に取り付けられるが、図３（ａ）の斜視図にパネルホルダ２００の一方の面（以下、上面という）を示し、図４（ａ）の斜視図にパネルホルダ２００の他方の面（以下、下面という）をサブパネル１２０とともに示す。
【００２６】
この例において、パネルホルダ２００の上面がメインパネル１１０のパネル支持面２０１で、下面がサブパネル１２０のパネル支持面２０２である。パネルホルダ２００は金属製，合成樹脂製のいずれであってもよいが、軽量性と成型性の観点からして合成樹脂製であることが好ましい。
【００２７】
図３（ａ）に示すように、パネルホルダ２００の上面のパネル支持面２０１には、メインパネル１１０を収納するためのメインパネル収納凹部２１０が設けられている。メインパネル収納凹部２１０を囲む４つの側枠２１１〜２１４のうち、端子部１１１側に位置する側枠２１３にはフレキシブル基板１３０を引き出すための開口部（切欠き部）２１３ａが形成されている。
【００２８】
また、側枠２１３と対向する側枠２１１側には、メインパネル１１０の反端子部側を離脱可能に係止するための係止爪２１５が設けられている。図３（ｂ）に係止爪２１５の拡大斜視図を示す。この例において、係止爪２１５は側枠２１１の両側のコーナーに三角形の庇状に形成されているが、例えば側枠２１１の中央部分に横梁状に設けられてもよい。
【００２９】
図４（ａ）に示すように、パネルホルダ２００の下面のパネル支持面２０２には、サブパネル１２０を収納するためのサブパネル収納部２２０が設けられている。サブパネル収納部２２０はサブパネル１２０の外形（各辺）に沿って立設された４つの側枠２２１〜２２４により囲まれているが、このうちの端子部１２１側に位置する側枠２２３にはフレキシブル基板１３０の接続片１３２を引き出すための開口部（切欠き部）２２３ａが形成されている。
【００３０】
また、側枠２２３と対向する側枠２２１側には、サブパネル１２０の反端子部側を離脱可能に係止するための係止爪２２５が設けられている。この係止爪２２５は図３（ｂ）に示す係止爪２１５と同じであってよい。この例において、係止爪２２５は側枠２２１の両側のコーナーに設けられているが、例えば側枠２２１の中央部分に横梁状に設けられてもよい。
【００３１】
本発明において、フレキシブル基板１３０に設けられている窓１３１は、サブパネル収納部２２０を形成している側枠２２１〜２２４の外周側に嵌合されるフレキシブル基板固定用の嵌合孔でもあり、そのため側枠２２１〜２２４と窓１３１との間には摩擦係合手段が設けられている。
【００３２】
この例では摩擦係合手段として、図４（ａ）に示すように、側枠２２１〜２２４の外周面側に窓１３１の内周面に摩擦的に接触する複数本の縦リブ２２７を形成しているが、これとは別に図４（ｂ）に示すように、窓１３１の内周面側に側枠２２１〜２２４の外周面に摩擦的に接触する舌片１３３を複数個所に形成してもよい。
【００３３】
組立は次のようにして行われる。まず、図１（ａ）に示す表示パネル１００のうち、メインパネル１１０を図示しないメインパネル用導光板とともに、図３（ａ）に示すパネルホルダ２００のメインパネル収納凹部２１０内に収納する。その際、メインパネル１１０の反端子部側の角を係止爪２１５の下に潜り込ませて図２（ａ），（ｃ）に示すように係止する。なお、メインパネル１１０が反射型の場合には導光板は不要である。
【００３４】
次に、フレキシブル基板１３０を開口部２１３ａから引き出して、図２（ｃ）に示すように、パネルホルダ２００の下面のパネル支持面２０２側に向けてほぼ１８０゜折り曲げたのち、図４（ａ）に示すように、フレキシブル基板１３０の窓（嵌合孔）１３１をサブパネル収納部２２０を形成している側枠２２１〜２２４の外周側に若干の力を加えて嵌合（軽圧入）する。
【００３５】
これにより、フレキシブル基板１３０が位置決めされ、かつ、縦リブ２２７による摩擦係合力にてその位置に保持されるため、メインパネル１１０が係止爪２１５とフレキシブル基板１３０とによりメインパネル収納凹部２１０内に確実に固定される。
【００３６】
上記したように、フレキシブル基板１３０の窓１３１をサブパネル収納部２２０の側枠２２１〜２２４の外周側に嵌合する際、サブパネル１２０をサブパネル収納部２２０内に収納する。図２（ｂ）の背面図と図５の断面図とを参照して、このとき、まずサブパネル１２０の反端子部側を係止爪２２５の下に潜り込ませて係止したのち、フレキシブル基板１３０がパネル支持面２０２に接するように上記窓１３１を側枠２２１〜２２４の付け根にまで深く嵌合する。
【００３７】
これにより、接続片１３２が相対的に少なくとも端子部１２１の板厚分上方に向けて撓み、その反作用としての押さえ力が端子部１２１に加えられることになるため、サブパネル１２０が係止爪２２５と接続片１３２による押さえ力にてサブパネル収納凹部２２０内に確実に固定される。
【００３８】
なお、摩擦係合手段（図４（ａ）の縦リブ２２７もしくは図４（ｂ）の舌片１３３）はフレキシブル基板１３０を確実に固定できさえすれば、その位置は任意に設定されてよいが、接続片１３２により強い押さえ力を発生させるには、少なくとも開口部２２３ａを有する側枠２２３側に配置されることが好ましい。
【００３９】
このように、本発明によれば、両面粘着テープを用いることなく、表示パネル１００（この例では、メインパネル１１０とサブパネル１２０）をパネルホルダ２００内に確実に固定することができる。また、摩擦力にて保持されているフレキシブル基板１３０を取り外すだけで分解可能であるため、組立後の検査で不良が発見された場合でも、容易に分解してリワークすることができる。
【産業上の利用可能性】
【００４０】
本発明は、表示パネルの点灯形態にかかわらず、フレキシブル基板が接続されている表示パネルをパネルホルダに支持させてなる表示装置に広く利用することができる。
【図面の簡単な説明】
【００４１】
【図１】（ａ）メインパネルとサブパネルと含む表示パネルを示す平面図，（ｂ）表示パネルの中央縦断面図。
【図２】（ａ）本発明による表示装置の一例を示す平面図，（ｂ）背面図，（ｃ）中央縦断面図。
【図３】（ａ）本発明で用いられるパネルホルダの上面側のパネル支持面を示す斜視図，（ｂ）係止爪を示す拡大斜視図。
【図４】（ａ）上記パネルホルダの下面側のパネル支持面をサブパネルとともに示す斜視図，（ｂ）摩擦係合手段の変形例を示す要部拡大斜視図。
【図５】サブパネルが収納されたサブパネル収納部を示す断面図。
【図６】従来の表示装置の構成例を示す分解斜視図。
【符号の説明】
【００４２】
１００  表示パネル
１１０  メインパネル
１１１  端子部
１２０  サブパネル
１２１  端子部
１３０  フレキシブル基板
１３１  窓（嵌合孔）
１３２  接続片
１３３  舌片
２００  パネルホルダ
２０１  上面のパネル支持面
２０２  下面のパネル支持面
２１０  パネル収納凹部
２１１〜２１４  側枠
２１３ａ  開口部
２１５  係止爪
２２０  パネル収納部
２２１〜２２４  側枠
２２３ａ  開口部
２２５  係止爪
２２７  縦リブ
【図１】
2006071670.tif 000003
【図２】
2006071670.tif 000004
【図３】
2006071670.tif 000005
【図４】
2006071670.tif 000006
【図５】
2006071670.tif 000007
【図６】
2006071670.tif 000008